【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
不正確な押圧力で押圧することによって均一な所定の厚さの薄い流体試料層を形成するためのデバイスであって、
第１のプレートと、第２のプレートと、スペーサと、を備え、
ｉ．前記プレートが、異なる構成へと互いに対して移動可能であり、
ｉｉ．一方または両方のプレートが可撓性であり、
ｉｉｉ．前記プレートの各々が、流体試料と接触するための試料接触領域を有する内表面を含み、
ｉｖ．前記プレートの各々が、そのそれぞれの外表面上に、前記プレートを一緒に押し付ける不正確な押圧力を加えるための力領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、および所定の一定のスペーサ間距離を有し、
ｖｉｉ．前記可撓性プレートの厚さ（ｈ）およびヤング率（Ｅ）で割ったスペーサ間距離（ＩＳＤ）の４乗（ＩＳＤ４／（ｈＥ））が、５×１０６ｕｍ３／ＧＰａ以下であり、
ｖｉｉｉ．前記スペーサの少なくとも１つが、前記試料接触領域内にあり、
前記構成のうちの１つが開放構成であり、前記開放構成において、前記２つのプレートが部分的または完全に分離され、前記プレート間の間隔は、前記スペーサによって調節されず、前記試料は、前記プレートの一方または両方に付着し、
前記構成のうちの別の構成が、前記開放構成において前記試料が付着した後に構成される閉鎖構成であり、前記プレートが、前記力領域に前記不正確な押圧力を加えることによって前記閉鎖構成へと押し付けられ、前記閉鎖構成において、前記試料の少なくとも一部が、前記２つのプレートによって非常に均一な厚さの層に圧縮され、前記プレートに対して実質的に停滞し、前記層の前記均一な厚さが、前記２つのプレートの前記試料接触領域によって限定され、前記プレートおよび前記スペーサによって調節される、デバイス。
【請求項２】
不正確な押圧力で押圧することによって均一な所定の厚さの薄い流体試料層を形成する方法であって、
（ａ）第１のプレートと、第２のプレートと、スペーサと、を取得するステップであって、
ｉ．前記プレートが、異なる構成へと互いに対して移動可能であり、
ｉｉ．一方または両方のプレートが可撓性であり、
ｉｉｉ．前記プレートの各々が、流体試料と接触するための試料接触領域を有する内表面を含み、
ｉｖ．前記プレートの各々が、そのそれぞれの外表面上に、前記プレートを一緒に押し付ける不正確な押圧力を加えるための力領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、および所定の一定のスペーサ間距離を有し、
ｖｉｉ．前記可撓性プレートの厚さ（ｈ）およびヤング率（Ｅ）で割ったスペーサ間距離（ＩＳＤ）の４乗（ＩＳＤ４／（ｈＥ））が、５×１０６ｕｍ３／ＧＰａ以下であり、
ｖｉｉｉ．前記スペーサの少なくとも１つが、前記試料接触領域内にある、
前記取得するステップと、
（ｂ）流体試料を取得するステップと、
（ｃ）前記プレートの一方または両方に前記試料を付着させるステップであって、前記プレートが開放構成において構成されている場合、前記開放構成は、前記２つのプレートが部分的または完全に分離され前記プレート間の間隔が前記スペーサによって調節されていない構成である、前記付着させるステップと、
（ｄ）（ｃ）の後に、前記プレートの前記試料接触表面によって限定された実質的に均一な厚さの層へと前記試料の少なくとも一部を圧縮するために前記２つのプレートを使用するステップであって、前記層の前記均一な厚さが、前記スペーサおよび前記プレートによって調節され、前記圧縮が、
前記２つのプレートを一緒にすること、および
並行してまたは順次のいずれかで、前記プレートの少なくとも１つの領域を適合可能に押圧し、前記プレートを一緒に閉鎖構成へと押圧すること
を含み、前記適合可能に押圧することが、前記試料の前記少なくとも一部にわたって前記プレート上に実質的に均一な圧力を生成し、前記押圧することが、前記試料の前記少なくとも一部を前記プレートの前記試料接触表面間で横方向に広げ、前記閉鎖構成が、均一な厚さの領域の前記層における前記プレート間の間隔が前記スペーサによって調節される構成であり、前記試料の低減された厚さが、貯蔵部位上の試薬を前記試料と混合する時間を低減する、
前記使用するステップと、
を含み、
前記２つのプレートを前記閉鎖構成へと押圧する前記力が、人間の手によって提供される不正確な押圧力である、方法。
【請求項３】
不正確な力で押圧することによって均一な所定の厚さの薄い流体試料層を形成するためのデバイスであって、
第１のプレートと、第２のプレートと、スペーサと、を備え、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、所定の幅、および所定のスペーサ間距離を有し、
ｖｉｉ．前記スペーサ幅に対する前記スペーサ間距離の比が、１．５以上であり、
ｖｉｉｉ．前記スペーサの少なくとも１つが、前記試料接触領域内にあり、
前記構成のうちの１つが開放構成であり、前記開放構成において、前記２つのプレートが部分的または完全に分離され、前記プレート間の間隔は、前記スペーサによって調節されず、前記試料は、前記プレートの一方または両方に付着し、
前記構成のうちの別の構成が、前記開放構成において前記試料が付着した後に構成される閉鎖構成であり、前記閉鎖構成において、前記試料の少なくとも一部が、前記２つのプレートによって非常に均一な厚さの層に圧縮され、前記プレートに対して実質的に停滞し、前記層の前記均一な厚さが、前記２つのプレートの前記試料接触領域によって限定され、前記プレートおよびスペーサによって調節され、
前記２つのプレートを前記閉鎖構成へと押圧する前記力が、人間の手によって提供される不正確な押圧力である、デバイス。
【請求項４】
不正確な押圧力で押圧することによって均一な所定の厚さの薄い流体試料層を形成する方法であって、
（ａ）第１のプレートと、第２のプレートと、スペーサと、を取得するステップであって、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、所定の幅、および所定のスペーサ間距離を有し、
ｖｉｉ．前記スペーサ幅に対する前記スペーサ間距離の比が、１．５以上であり、
ｖｉｉｉ．前記スペーサの少なくとも１つが、前記試料接触領域内にある、
前記取得するステップと、
（ｂ）流体試料を取得するステップと、
（ｃ）前記プレートの一方または両方に前記試料を付着させるステップであって、前記プレートが開放構成において構成されている場合、前記開放構成は、前記２つのプレートが部分的または完全に分離され前記プレート間の間隔が前記スペーサによって調節されていない構成である、前記付着させるステップと、
（ｄ）（ｃ）の後に、前記プレートの前記試料接触表面によって限定された実質的に均一な厚さの層へと前記試料の少なくとも一部を圧縮するために前記２つのプレートを使用するステップであって、前記層の前記均一な厚さが、前記スペーサおよび前記プレートによって調節され、前記圧縮が、
前記２つのプレートを一緒にすること、および
並行してまたは順次のいずれかで、前記プレートの少なくとも１つの領域を適合可能に押圧し、前記プレートを一緒に閉鎖構成へと押圧すること
を含み、前記適合可能に押圧することが、前記試料の前記少なくとも一部にわたって前記プレート上に実質的に均一な圧力を生成し、前記押圧することが、前記試料の前記少なくとも一部を前記プレートの前記試料接触表面間で横方向に広げ、前記閉鎖構成が、均一な厚さの領域の前記層における前記プレート間の間隔が前記スペーサによって調節される構成であり、前記試料の低減された厚さが、貯蔵部位上の試薬を前記試料と混合する時間を低減させる、
前記使用するステップと、
を含み、
前記２つのプレートを前記閉鎖構成へと押圧する前記力が、人間の手によって提供される不正確な押圧力である、方法。
【請求項５】
不正確な力で押圧することによって均一な所定の厚さの薄い流体試料層を形成するためのデバイスであって、
第１のプレートと、第２のプレートと、スペーサと、を備え、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、所定の幅、および所定のスペーサ間距離を有し、
ｖｉｉ．前記スペーサ幅に対する前記スペーサ間距離の比が、１．５以上であり、
ｖｉｉｉ．前記スペーサの少なくとも１つが、前記試料接触領域内にあり、
前記構成のうちの１つが開放構成であり、前記開放構成において、前記２つのプレートが部分的または完全に分離され、前記プレート間の間隔は、前記スペーサによって調節されず、前記試料が、前記プレートの一方または両方に付着し、
前記構成のうちの別の構成が、前記開放構成において前記試料が付着した後に構成される閉鎖構成であり、前記閉鎖構成において、前記試料の少なくとも一部が、前記２つのプレートによって非常に均一な厚さの層に圧縮され、前記プレートに対して実質的に停滞し、前記層の前記均一な厚さが、前記２つのプレートの前記試料接触領域によって限定され、前記プレートおよび前記スペーサによって調節され、
前記２つのプレートを前記閉鎖構成へと押圧する前記力が、不正確であり、人間の手によって提供される、デバイス。
【請求項６】
不正確な押圧力で押圧することによって均一な所定の厚さの薄い流体試料層を形成する方法であって、
（ａ）第１のプレートと、第２のプレートと、スペーサと、を取得するステップであって、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、所定の幅、および所定のスペーサ間距離を有し、
ｖｉｉ．前記スペーサ幅に対する前記スペーサ間距離の比が、１．５以上であり、
ｖｉｉｉ．前記スペーサの少なくとも１つが、前記試料接触領域内にある、
前記取得するステップと、
（ｂ）流体試料を取得するステップと、
（ｃ）前記プレートの一方または両方に前記試料を付着させるステップであって、前記プレートが開放構成において構成されている場合、前記開放構成は、前記２つのプレートが部分的または完全に分離され前記プレート間の間隔が前記スペーサによって調節されていない構成である、前記付着させるステップと、
（ｄ）（ｃ）の後に、前記プレートの前記試料接触表面によって限定された実質的に均一な厚さの層へと前記試料の少なくとも一部を圧縮するために前記２つのプレートを使用するステップであって、前記層の前記均一な厚さが、前記スペーサおよび前記プレートによって調節され、前記圧縮が、
前記２つのプレートを一緒にすること、および
並行してまたは順次のいずれかで、前記プレートの少なくとも１つの領域を適合可能に押圧し、前記プレートを一緒に閉鎖構成へと押圧すること
を含み、前記適合可能に押圧することが、前記試料の前記少なくとも一部にわたって前記プレート上に実質的に均一な圧力を生成し、前記押圧することが、前記試料の前記少なくとも一部を前記プレートの前記試料接触表面間で横方向に広げ、前記閉鎖構成が、均一な厚さの領域の前記層における前記プレート間の間隔が前記スペーサによって調節される構成であり、前記試料の低減された厚さが、貯蔵部位上の試薬を前記試料と混合する時間を低減させる、
前記使用するステップと、
を含み、
前記２つのプレートを前記閉鎖構成へと押圧する前記力が、人間の手によって提供される不正確な押圧力である、方法。
【請求項７】
不正確な力で押圧することによって均一な所定の厚さの薄い流体試料層を形成するためのデバイスであって、
第１のプレートと、第２のプレートと、スペーサと、を備え、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、所定の幅、および所定のスペーサ間距離を有し、
ｖｉｉ．前記スペーサ幅に対する前記スペーサ間距離の比が、１．５以上であり、
ｖｉｉｉ．前記スペーサの少なくとも１つが、前記試料接触領域内にあり、
前記構成のうちの１つが開放構成であり、前記開放構成において、前記２つのプレートが部分的または完全に分離され、前記プレート間の間隔が、前記スペーサによって調節されず、前記試料が、前記プレートの一方または両方に付着し、
前記構成のうちの別の構成が、前記開放構成において前記試料が付着した後に構成される閉鎖構成であり、前記閉鎖構成において、前記試料の少なくとも一部が、前記２つのプレートによって非常に均一な厚さの層に圧縮され、前記プレートに対して実質的に停滞し、前記層の前記均一な厚さが、前記２つのプレートの前記試料接触領域によって限定され、前記プレートおよび前記スペーサによって調節され、
前記２つのプレートを前記閉鎖構成へと押圧する前記力が、不正確であり、人間の手によって提供される、デバイス。
【請求項８】
不正確な押圧力で押圧することによって均一な所定の厚さの薄い流体試料層を形成する方法であって、
（ａ）第１のプレートと、第２のプレートと、スペーサと、を取得するステップであって、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、所定の幅、および所定のスペーサ間距離を有し、
ｖｉｉ．前記スペーサ幅に対する前記スペーサ間距離の比が、１．５以上であり、
ｖｉｉｉ．前記スペーサの少なくとも１つが、前記試料接触領域内にある、
前記取得するステップと、
（ｂ）流体試料を取得するステップと、
（ｃ）前記プレートの一方または両方に前記試料を付着させるステップであって、前記プレートが開放構成において構成されている場合、前記開放構成は、前記２つのプレートが部分的または完全に分離され前記プレート間の間隔が前記スペーサによって調節されていない構成である、前記付着させるステップと、
（ｄ）（ｃ）の後に、前記プレートの前記試料接触表面によって限定された実質的に均一な厚さの層へと前記試料の少なくとも一部を圧縮するために前記２つのプレートを使用するステップであって、前記層の前記均一な厚さが、前記スペーサおよび前記プレートによって調節され、前記圧縮が、
前記２つのプレートを一緒にすること、および
並行してまたは順次のいずれかで、前記プレートの少なくとも１つの領域を適合可能に押圧し、前記プレートを一緒に閉鎖構成へと押圧すること
を含み、前記適合可能に押圧することが、前記試料の前記少なくとも一部にわたって前記プレート上に実質的に均一な圧力を生成し、前記押圧することが、前記試料の前記少なくとも一部を前記プレートの前記試料接触表面間で横方向に広げ、前記閉鎖構成が、均一な厚さの領域の前記層における前記プレート間の間隔が前記スペーサによって調節される構成であり、前記試料の低減された厚さが、貯蔵部位上の試薬を前記試料と混合する時間を低減させる、
前記使用するステップと、
を含み、
前記２つのプレートを前記閉鎖構成へと押圧する前記力が、人間の手によって提供される不正確な押圧力である、方法。
【請求項９】
人間の手によって提供される不正確な力で押圧することによって関連する試料の体積を決定するためのデバイスであって、
第１のプレートと、第２のプレートと、スペーサと、面積決定デバイスと、を備え、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、測定される関連体積を有する流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、および所定の一定のスペーサ間距離を有し、
ｖｉｉ．前記可撓性プレートの厚さ（ｈ）およびヤング率（Ｅ）で割ったスペーサ間距離（ＩＳＤ）の４乗（ＩＳＤ４／（ｈＥ））が、５×１０６ｕｍ３／ＧＰａ以下であり、
ｖｉｉｉ．前記スペーサの少なくとも１つが、前記試料接触領域内にあり、
ｉｘ．面積決定デバイスが、前記関連体積の側面積を決定するように構成されており、
前記構成のうちの１つが開放構成であり、前記開放構成において、前記２つのプレートが部分的または完全に分離され、前記プレート間の間隔は、前記スペーサによって調節されず、前記試料は、前記プレートの一方または両方に付着し、
前記構成のうちの別の構成は、前記開放構成において前記試料が付着した後に構成される閉鎖構成であり、前記閉鎖構成において、前記試料の少なくとも一部が、前記２つのプレートによって非常に均一な厚さの層に圧縮され、前記プレートに対して実質的に停滞し、前記層の前記均一な厚さが、前記２つのプレートの前記試料接触領域によって限定され、前記プレートおよび前記スペーサによって調節され、
前記試料の前記関連体積が、前記均一な厚さの層の部分的または全体的な体積であり、前記関連体積の値が、前記均一な厚さおよび決定された側面積によって決定され、
前記２つのプレートを前記閉鎖構成へと押圧する前記力が、不正確であり、人間の手によって提供される、デバイス。
【請求項１０】
前記面積決定デバイスがカメラである、前記請求項のいずれか一項に記載のデバイス。
【請求項１１】
不正確な押圧力で押圧することによって均一な所定の厚さの薄い流体試料層を形成する方法であって、
（ａ）第１のプレートと、第２のプレートと、スペーサと、を取得するステップであって、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、測定される関連体積を有する流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、および所定の一定のスペーサ間距離を有し、
ｖｉｉ．前記可撓性プレートの厚さ（ｈ）およびヤング率（Ｅ）で割ったスペーサ間距離（ＩＳＤ）の４乗（ＩＳＤ４／（ｈＥ））が、５×１０６ｕｍ３／ＧＰａ以下であり、
ｖｉｉｉ．前記スペーサの少なくとも１つが、前記試料接触領域内にあり、
ｉｘ．面積決定デバイスが、前記関連体積の側面積を決定するように構成されている、
前記取得するステップと、
（ｂ）流体試料を取得するステップと、
（ｃ）前記プレートの一方または両方に前記試料を付着させるステップであって、前記プレートが開放構成において構成されている場合、前記開放構成は、前記２つのプレートが部分的または完全に分離され前記プレート間の間隔が前記スペーサによって調節されていない構成である、前記付着させるステップと、
（ｄ）（ｃ）の後に、前記プレートの前記試料接触表面によって限定された実質的に均一な厚さの層へと前記試料の少なくとも一部を圧縮するために前記２つのプレートを使用するステップであって、前記層の前記均一な厚さが、前記スペーサおよび前記プレートによって調節され、前記圧縮が、
前記２つのプレートを一緒にすること、および
並行してまたは順次のいずれかで、前記プレートの少なくとも１つの領域を適合可能に押圧し、前記プレートを一緒に閉鎖構成へと押圧すること
を含み、前記適合可能に押圧することが、前記試料の前記少なくとも一部にわたって前記プレート上に実質的に均一な圧力を生成し、前記押圧することが、前記試料の前記少なくとも一部を前記プレートの前記試料接触表面間で横方向に広げ、前記閉鎖構成が、均一な厚さの領域の前記層における前記プレート間の間隔が前記スペーサによって調節される構成であり、前記試料の低減された厚さが、貯蔵部位上の試薬を前記試料と混合する時間を低減させる、
前記使用するステップと、
を含み、
前記２つのプレートを前記閉鎖構成へと押圧する前記力が、人間の手によって提供される不正確な押圧力である、方法。
【請求項１２】
人間の手によって提供される不正確な力で押圧することによって関連する試料の体積を決定するためのデバイスであって、
第１のプレートと、第２のプレートと、スペーサと、面積決定デバイスと、を備え、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、測定される関連体積を有する流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、および所定の一定のスペーサ間距離を有し、
ｖｉｉ．前記可撓性プレートの厚さ（ｈ）およびヤング率（Ｅ）で割ったスペーサ間距離（ＩＳＤ）の４乗（ＩＳＤ４／（ｈＥ））が、５×１０６ｕｍ３／ＧＰａ以下であり、
ｖｉｉｉ．前記スペーサの少なくとも１つが、前記試料接触領域内にあり、
ｉｘ．面積決定デバイスが、前記関連体積の側面積を決定するように構成されており、
前記構成のうちの１つが開放構成であり、前記開放構成において、前記２つのプレートが部分的または完全に分離され、前記プレート間の間隔が、前記スペーサによって調節されず、前記試料が、前記プレートの一方または両方に付着し、
前記構成のうちの別の構成が、前記開放構成において前記試料が付着した後に構成される閉鎖構成であり、前記閉鎖構成において、前記試料の少なくとも一部が、前記２つのプレートによって非常に均一な厚さの層に圧縮され、前記プレートに対して実質的に停滞し、前記層の前記均一な厚さが、前記２つのプレートの前記試料接触領域によって限定され、前記プレートおよび前記スペーサによって調節され、
前記試料の前記関連体積が、前記均一な厚さの層の部分的または全体的な体積であり、前記関連体積の値が、前記均一な厚さおよび決定された側面積によって決定され、
前記２つのプレートを前記閉鎖構成へと押圧する前記力が、不正確であり、人間の手によって提供される、デバイス。
【請求項１３】
不正確な押圧力で押圧することによって均一な所定の厚さの薄い流体試料層を形成する方法であって、
（ａ）第１のプレートと、第２のプレートと、スペーサと、を取得するステップであって、
ｉ．前記プレートが、異なる構成へと互いに対して移動可能であり、
ｉｉ．一方または両方のプレートが可撓性であり、
ｉｉｉ．前記プレートの各々が、そのそれぞれの内表面上に、測定される関連体積を有する流体試料と接触するおよび／またはそれを圧縮するための試料接触領域を含み、
ｉｖ．前記プレートの各々が、そのそれぞれの外表面上に、前記プレートを一緒に押し付ける力を加えるための領域を含み、
ｖ．前記プレートの一方または両方が、それぞれのプレートの前記内表面上に恒久的に固定されている前記スペーサを含み、
ｖｉ．前記スペーサが、２００ミクロン以下の所定の実質的に均一な高さ、および所定の一定のスペーサ間距離を有し、
ｖｉｉ．前記可撓性プレートの厚さ（ｈ）およびヤング率（Ｅ）で割ったスペーサ間距離（ＩＳＤ）の４乗（ＩＳＤ４／（ｈＥ））が、５×１０６ｕｍ３／ＧＰａ以下であり、
ｖｉｉｉ．前記スペーサの少なくとも１つが、前記試料接触領域内にあり、
ｉｘ．面積決定デバイスが、前記関連体積の側面積を決定するように構成されている、
前記取得するステップと、
（ｂ）流体試料を取得するステップと、
（ｃ）前記プレートの一方または両方に前記試料を付着させるステップであって、前記プレートが開放構成において構成されている場合、前記開放構成は、前記２つのプレートが部分的または完全に分離され前記プレート間の間隔が前記スペーサによって調節されていない構成である、前記付着させるステップと、
（ｄ）（ｃ）の後に、前記プレートの前記試料接触表面によって限定された実質的に均一な厚さの層へと前記試料の少なくとも一部を圧縮するために前記２つのプレートを使用するステップであって、前記層の前記均一な厚さが、前記スペーサおよび前記プレートによって調節され、前記圧縮が、
前記２つのプレートを一緒にすること、および
並行してまたは順次のいずれかで、前記プレートの少なくとも１つの領域を適合可能に押圧し、前記プレートを一緒に閉鎖構成へと押圧すること
を含み、前記適合可能に押圧することが、前記試料の前記少なくとも一部にわたって前記プレート上に実質的に均一な圧力を生成し、前記押圧することが、前記試料の前記少なくとも一部を前記プレートの前記試料接触表面間で横方向に広げ、前記閉鎖構成が、均一な厚さの領域の前記層における前記プレート間の間隔が前記スペーサによって調節される構成であり、前記試料の低減された厚さが、貯蔵部位上の試薬を前記試料と混合する時間を低減させる、
前記使用するステップと、
を含み、
前記２つのプレートを前記閉鎖構成へと押圧する前記力が、人間の手によって提供される不正確な押圧力である、方法。